【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
ハブであって、該ハブの外部に位置する電子機器、交流電源、及び少なくとも１つのモバイル装置と電気接続することに適用され、該電子機器は、接続ポートを含み、該電子機器の該接続ポートが給電モード及び充電モードを支援し、該ハブは、
該電子機器の接続ポートに電気接続することに適用され、第１データ伝送線及び第１電力線を含む第１接続端と、
該モバイル装置と電気接続することに適用され、第２データ伝送線及び第２電力伝送線を含む少なくとも１つの第２接続端と、
該交流電源に電気接続することに適用される第３接続端と、
該第１接続端、該第２接続端、及び該第３接続端に電気接続し、該交流電源又は該電子機器が出力する電力を該モバイル装置に供給する電源モジュールと、
制御回路であり、該制御回路は、該第１接続端の該第１データ伝送線及び該電源モジュールの間に電気接続され、且つ該電子機器の該接続ポートは、給電モード及び充電モードを支援し、該制御回路、該電源モジュール、及び該電子機器の間の通信を経て、該電子機器を給電モードと充電モードの間で変換させる制御回路と、
を含み、
該第３接続端が該交流電源に電気接続する時、該電子機器の接続ポートが充電モードにあり、該第３接続端が該交流電源に電気接続していない時、該電子機器の接続ポートが給電モードにあり、該第１データ伝送線及び該第２データ伝送線が相互の間で電気接続され、該電子機器及び該モバイル装置の間に相互のデータ伝送を行わせるハブ。
【請求項２】
前記第１接続端は、ＵＳＢタイプＣインタフェースである請求項１に記載のハブ。
【請求項３】
前記電源モジュールは、
交流/直流変換器であり、該交流/直流変換器一方の入力端が該第３接続端を介して該交流電源に電気接続し、該交流/直流変換器の他方の入力端が該制御回路と電気接続し、且つ該制御回路は、該交流/直流変換器の出力電圧を調整することができる交流/直流変換器と、
入力端が該交流/直流変換器に電気接続し、出力端が該モバイル装置に電気接続する第１直流変換器と、
該第１接続端の該第１電力伝送線及び該第２接続端の該第２電力伝送線の間に電気接続する第１開閉部材と、
を含み、該第３接続端が該交流電源に電気接続する時、該第１開閉部材が開き、該第１電力伝送線及び該第２電力伝送線を電気接続していない状態にさせ、
該第３接続端が該交流電源に電気接続していない時、該第１開閉部材が閉じ、該第１電力伝送線及び該第２電力伝送線を電気接続した状態にする請求項１に記載のハブ。
【請求項４】
更に、第４接続端を含み、該第４接続端は、該ハブの外部にある電子装置又は直流電源に電気接続することに適用され、該ハブ中の該第４接続端は、該電源モジュールに電気接続し、該第４接続端は、該電子装置に電気接続し、且つ該第３接続端は、該交流電源に電気接続し、該電源モジュールは、該交流電源が出力する電力を該電子装置に供給することに適用され、該第４接続端は、該直流電源に電気接続し、且つ該第３接続端は、該交流電源に電気接続しておらず、該電源モジュールは、該直流電源が出力する電力を該モバイル装置に供給することに適用される請求項１に記載のハブ。
【請求項５】
該電源モジュールは、
入力端が該第３接続端を介して該交流電源に電気接続する交流/直線変換器と、
入力端が該交流/直変換器に電気接続し、出力端が該モバイル装置に電気接続する第１直流変換器と、
第１端、第２端、及び第３端を含み、該第１端は、該第１電力伝送線に電気接続し、該第２端が該第２電力伝送線に電気接続する第１開閉部材と、
入力端が該交流/直流変換器に電気接続し、出力端が該第１開閉部材の該第３端に電気接続する第２直流変換器と、
を含み、該制御回路は、該第１開閉部材及び該第２直流変換器に電気接続し、該制御回路は、該第２直流変換器の出力電圧を調整することができ、
該第３接続端が該交流電源に電気接続するか、該第４接続端が該直流電源に電気接続する時、該第１開閉部材の該第１端は、該第３端と導通し、
該第３接続端が交流電源に電気接続しておらず、且つ該第４接続端が該直流電源に接続していない時、該第１開閉部材の該第１端は、該第２端と導通する請求項４に記載のハブ。
【請求項６】
該電源モジュールは、
入力端が該第３接続端を介して該交流電源に電気接続する交流/直線変換器と、
入力端が該第２開閉部材に電気接続し、出力端が該モバイル装置に電気接続する第１直流変換器と、
第１端、第２端、第３端及び第４端を含み、該第１端は、該第１電力伝送線に電気接続し、該第２端が該第２電力伝送線に電気接続し、該第４端は、該交流/直流変換器に電気接続する第１開閉部材と、
入力端が該第２開閉部材に電気接続し、出力端が該第１開閉部材の該第３端に電気接続する第２直流変換器と、
入力端が該第２開閉部材に電気接続し、出力端が該第１開閉部材の該第４端に電気接続する第３直流変換器と、
を含み、該制御回路は、該第１開閉部材に電気接続し、且つ該制御回路は、該第１開閉部材の該第１端が第２端、第３端、又は第４端と選択的に電気接続する用制御し、
該第３接続端が該交流電源に電気接続する時、該第２開閉部材は、導通状態を呈し、
該第４接続端が該直流電源に電気接続する時、該第２開閉部材は、非導通状態を呈し、
該第３接続端が該交流電源に電気接続しておらず、且つ該第４接続端が該直流電源に電気接続していない時、該第１開閉部材の該第１端は、該第２端と導通する請求項４に記載のハブ。
【請求項７】
更に、
エネルギー蓄積素子と、
入力端が該エネルギー蓄積素子に電気接続し、出力端が該第２直流変換器及びギア第１直流変換器に電気接続する第３開閉と、
を含み、該第３接続端が、該交流電源に電気接続するか、該第４接続端が該直流電源に電気接続する時、該第３開閉が導通せず、該充電回路は、該エネルギー蓄積素子に対して充電を行い、
該第３接続端が該交流電源に電気接続しておらず、且つ該第４接続端が該直流電源に電気接続していない時、該第３開閉が導通し、該エネルギー蓄積素子を給電モードにさせる請求項５又は６に記載のハブ。
【請求項８】
該電源モジュールは、
入力端が該第３接続端を介して該交流電源に電気接続する交流/直線変換器と、
入力端が該交流/直変換器に電気接続し、出力端が該モバイル装置に電気接続する第１直流変換器と、
第１端、第２端、及び第３端を含み、該第１端は、該第１電力伝送線に電気接続し、該第２端が該第２電力伝送線に電気接続する第１開閉部材と、
入力端が該交流/直流変換器に電気接続し、出力端が該第１開閉部材の該第３端に電気接続する第２直流変換器と、
を含み、該制御回路は、該第１開閉部材及び該第２直流変換器に電気接続し、該制御回路は、該第２直流変換器の出力電圧を調整することができ、
該第３接続端が該交流電源に電気接続する時、該第１開閉部材の該第１端は、該第３端と導通し、
該第３接続端が交流電源に電気接続していない時、該第１開閉部材の該第１端は、該第２端と導通する請求項１に記載のハブ。
【請求項９】
更に、第４接続端を含み、該第４接続端は、外部環境にある電子装置又は直流電源に電気接続することに適用され、該ハブ中の該第４接続端は、該電源モジュールに電気接続し、該第４接続端は、該電子装置に電気接続し、該電源モジュールは、該交流電源又は該電子機器が出力する電力を該電子装置に供給することに適用され、該第４接続端は、該直流電源に電気接続し、該電源モジュールは、該直流電源が出力する電力を該電子機器又は該モバイル装置に供給することに適用される請求項１に記載のハブ。
【請求項１０】
前記電源モジュールは、
交流/直流変換器であり、該交流/直流変換器の入力端が該第３接続端を介して該交流電源に電気接続する交流/直流変換器と、
入力端が該交流/直流変換器に電気接続し、出力端が該モバイル装置に電気接続する第１直流変換器と、
該第１接続端の該第１電力伝送線及び該第２接続端の該第２電力伝送線の間に電気接続する第１開閉部材と、
を含み、該第３接続端が該交流電源に電気接続するか、該第４接続端が該直流電源に電気接続する時、該第１開閉部材が開き、該第１電力伝送線及び該第２電力伝送線を電気接続していない状態にさせ、
該第３接続端が該交流電源に電気接続しておらず、且つ該第４接続端は、該直流電源に電気接続する時、該第１開閉部材が閉じ、該第１電力伝送線及び該第２電力伝送線を電気接続した状態にする請求項９に記載のハブ。
【請求項１１】
前記電源モジュールは、
交流/直流変換器であり、該交流/直流変換器の入力端が該第３接続端を介して該交流電源に電気接続する交流/直流変換器と、
入力端が該交流/直流変換器に電気接続し、出力端が該モバイル装置に電気接続する第１直流変換器と、
該第１接続端の該第１電力伝送線及び該第２接続端の該第２電力伝送線の間に電気接続する電流分配器と、
を含む請求項９に記載のハブ。
【請求項１２】
更に、少なくとも１つのブリッジ制御器を含み、該ブリッジ制御器は、該制御器に電気接続し、該ブリッジ制御器は、異なる信号フォーマット間の変換を行うことに適用される請求項１に記載のハブ。
【請求項１３】
前記第１接続端は、ＵＳＢインタフェースである請求項１に記載のハブ。
【請求項１４】
更に、エネルギー蓄積素子を含み、該エネルギー蓄積素子は、該電源モジュールに電気接続し、該第３接続端が該交流電源に電気接続する時、該エネルギー蓄積素子は、充電モードにあり、該第３接続端が該交流電源に電気接続していない時、該エネルギー蓄積素子は、給電モードにある請求項１に記載のハブ。
【請求項１５】
更に、制御器を含み、該制御器は、該第１データ伝送線及び該第２データ伝送線の間に電気接続される請求項１に記載のハブ。
【請求項１６】
該制御器は、更に、信号を該モバイル装置に発送することに適用され、該モバイル装置に急速充電モードを起動させる請求項１５に記載のハブ。